(57)【要約】      （修正有）【課題】トイレットペーパーを切断使用後、トイレットペーパーホルダーの上部カバーに隠れることなくトイレットペーパー切断部を繰り出すことで、トイレットペーパーを容易に引き出せ使用できるトイレットペーパーホルダーを提供する。【解決手段】バネの性質を有するハガネや合成樹脂等をアーチ状の板状又は棒状等にした押し出し部を有する押し出し部材１をトイレットペーパーホルダー上部カバー裏２ｂに貼付取り付けることで、接触していたトイレットペーパー３から浮き上がった状態のトイレットペーパーホルダー上部カバー２を手指で押さえる動作を利用し、その圧力で上記押し出し部材１がトイレットペーパー３を回転させ押し下げ、トイレットペーパー切断部３ａをトイレットペーパーホルダー上部カバー２から露出させることでトイレットペーパー３の引き出しを容易にする。【選択図】図２
0003179677.tif 000002
【実用新案登録請求の範囲】
【請求項１】
トイレットペーパーホルダー上部カバーに取り付けられた、バネの性質を有するハガネや合成樹脂等のアーチ状の板状又は棒状等の押し出し部を有する押し出し部材によって、トイレットペーパーの切断部が繰り出されることを特徴するトイレットペーパーホルダー。
【考案の詳細な説明】
【技術分野】
【０００１】  本考案は、トイレットペーパーを引き出し切断した後、切断部がトイレットペーパーホルダーの上部カバーの下に隠れることから、次にトイレットペーパーを引き出し使用する際、押し出し部を有する押し出し部材によって切断部を前記上部カバーから露出させることで、トイレットペーパーの引き出しを容易にするトイレットペーパーホルダーに関するものである。
【背景技術】
【０００２】  従来のトイレットペーパーホルダーの多くは、トイレットペーパーホルダーの上部カバー先端でトイレットペーパーを切断するよう構成されている。【０００３】  しかしながら、切断されたトイレットペーパーの切断部はトイレットペーパーホルダーの上部カバーの下に隠れてしまい、次に切断使用する際にその都度トイレットペーパーを手指で下に回転させ、トイレットペーパーの切断部をトイレットペーパーホルダーの上部カバーから露出させてから引き出すのが基本であった。
【先行技術文献】
【特許文献】
【０００４】
【特許文献１】特開２０１０−６３８６１
【考案の概要】
【考案が解決しようとする課題】
【０００５】  本考案は、以上のような従来の欠点に鑑み、トイレットペーパー３を切断使用後、トイレットペーパーホルダーの上部カバー２に隠れることなくトイレットペーパー切断部３ａを繰り出すことで、トイレットペーパー３を容易に引き出せ使用できるトイレットペーパーホルダーの提供を目的とする。
【課題を解決するための手段】
【０００６】  上記の目的・課題を解決するために、本考案はトイレットペーパーホルダーの上部カバー裏２ｂに貼付取り付けた、バネの性質を有するハガネや合成樹脂等をアーチ状の板状又は棒状等にした押し出し部を有する押し出し部材１ｄを介して、トイレットペーパーホルダーの上部カバー２の下に隠れているトイレットペーパー切断部３ａを繰り出すことで、トイレットペーパー３の引き出しを容易にするトイレットペーパーホルダーを構成している。
【考案の効果】
【０００７】  以上の説明から明らかなように、本考案にあっては次に列挙する効果が得られる。
（１）従来のトイレットペーパーホルダーの多くは、直に手指でトイレットペーパー３を回転させることでトイレットペーパー切断部３ａを引き出し使用する方式だった。本考案はバネの性質を有するハガネや合成樹脂等をアーチ状の板状又は棒状等にした押し出し部を有する押し出し部材１をトイレットペーパーホルダー上部カバー裏２ｂに貼付取り付けることで、接触していたトイレットペーパー３から浮き上がった状態のトイレットペーパーホルダー上部カバー２を手指で押さえる動作を利用し、その圧力で上記押し出し部材１がトイレットペーパー３を回転させ押し下げ、トイレットペーパー切断部３ａをトイレットペーパーホルダー上部カバー２から露出させることでトイレットペーパー３を使用する際の引き出しを容易にする効果がある。【０００８】  （２）上記（１）からトイレットペーパー３に直接手指で触れることなく、使用するトイレットペーパー３の引き出し部分を露出することができ極めて衛生的な効果がある。【０００９】  （３）上記押し出し部材１の構造が単純な上、動力を用いることなく従来のトイレットペーパーホルダー上部カバー２に貼付取り付けるだけで、容易に上記（１）〜（２）の効果が得られる。
【図面の簡単な説明】
【００１０】
【図１】  本考案を実施するための押し下げ部材を有するトイレットペーパーホルダーの斜視図である。
【図２】  本考案を実施するための押し下げ部材を有するトイレットペーパーホルダーの側面図である。
【図３】  本考案を実施するための押し下げ部材を有するトイレットペーパーホルダー内のトイレットペーパーの巻き量が残り少なくなった状態を示す側面図である。
【図４】  本考案を実施するための押し下げ部材の上面図である。
【図５】  本考案を実施するための押し下げ部材の側面図である。
【考案を実施するための形態】
【００１１】  以下、本考案の実施例を図面に基づいて説明する。
【実施例】
【００１２】  第１図〜第２図は本考案の好ましい実施例を示し、第１図はトイレットペーパー３と接触する押し出し部材１の押し出し部材粘着部１ａをトイレットペーパーホルダー上部カバー裏２ｂに貼付固定したトイレットペーパーホルダー本体２ｃを示す。これによって第４図のバネの性質を有する押し出し部材バネ部１ｃの反発力で、トイレットペーパーホルダー上部カバー２はトイレットペーパーホルダー本体２ｃにセットしたトイレットペーパー３から離れ浮き上がるように構成されている。【００１３】  第２図はトイレットペーパーホルダー上部カバー裏２ｂに、第４図の押し出し部材取り付け部１ｂを貼付固定した押し出し部材１の、押し出し部材押し出し部１ｄの位置と、第４図及び第５図のバネの性質を有するアーチ状にした押し出し部材バネ部１ｃのバネの反発力で、トイレットペーパー３からトイレットペーパーホルダー上部カバー２が常に離れ浮き上がった状態を示す。この状態でトイレットペーパー３を切断使用する場合、離れ浮き上がったトイレットペーパーホルダー上部カバー２を手指で押し圧力を加え、トイレットペーパー断裁部２ａをトイレットペーパー３に密着させてから切断する。このときにトイレットペーパーホルダー上部カバー２を手指で押さえる動作から生じる上記押し出し部材１のバネの反発力によって、接触しているトイレットペーパー３の切断部を第２図において、時計回りにトイレットペーパー３を回転させ繰り出し露出させる。以降この繰り出す連続動作によって、繰り出され露出したトイレットペーパー３の引き出しを容易にする。【００１４】  第３図は、トイレットペーパー３の巻き量が残り少なくなってもトイレットペーパーホルダー上部カバー２に貼付固定した押し出し部材１は第２図の実施例同様の動きを保ち、トイレットペーパー切断部３ａを露出することができる状態を示したものである。【００１５】  第４図は、本考案の押し出し部材１の上面図を示し、トイレットペーパーホルダー上部カバー裏２ｂに貼付固定した押し出し部材１の押し出し部材アーチ支点１ｅを起点に、固定されていないバネの性質を有するアーチ状の押し出し部材バネ部１ｃのバネの反発力から押し出し部材伸延部１ｆが元のアーチ状に復元することで、押し出し部材押し出し部１ｄが常に接触するトイレットペーパー３からトイレットペーパーホルダー上部カバー２を離れ浮き上がらせる。この状態からトイレットペーパー断裁部２ａでトイレットペーパー３を切断使用する際、トイレットペーパーホルダー上部カバー２を手指で押し下げる必要が生じ、その押し下げる圧力によって押し出し部材バネ部１ｃがトイレットペーパーホルダー上部カバー裏２ｂに密着し伸び切るまで、アーチ状のバネの反発力で押し出し部材押し出し部１ｄと常に接触するトイレットペーパー３を第２図において時計回りに回転させ押し下げることで、トイレットペーパーホルダー上部カバー２に隠れていたトイレットペーパー３の切断面が露出し、容易にトイレットペーパー３を引き出すことができる。【００１６】  第５図は本考案の押し出し部材１の側面図を示す。押し出し部材１のアーチ状の、押し出し部材バネ部１ｃの押し出し部材押し出し部１ｄが、接触するトイレットペーパー３��第２図において時計回りに回転させ押し下げることで第１図及び第２図のトイレットペーパー切断部３ａを露出させる仕組みを示した図である。このようにトイレットペーパーホルダー上部カバー２を手指で押すことで、押し出し部材１のトイレットペーパーホルダー上部カバー押し出し部材密着部１ｇが、トイレットペーパーホルダー上部カバー２に密着伸延し延び切る。そして再度、押し出し部材バネ部１ｃのバネの反発力により元のアーチ状に復元する性質から、トイレットペーパーホルダー上部カバー上下動範囲ｎｌ内で上下繰り返し、トイレットペーパー３の断裁部を繰り出し露出させることでトイレットペーパー３の引き出しを容易にする。
【産業上の利用可能性】
【００１７】  本考案は、トイレットペーパーホルダーに関する。
【符号の説明】
【００１８】１    押し出し部材
１ａ  押し出し部材粘着部
１ｂ  押し出し部材取り付け部
１ｃ  アーチ状の押し出し部材バネ部
１ｄ  押し出し部材押し出し部
１ｅ  押し出し部材アーチ支点
１ｆ  押し出し部材伸延部
１ｇ  トイレットペーパーホルダー上部カバー押し出し部材密着部
２    トイレットペーパーホルダー上部カバー
２ａ  トイレットペーパー断裁部
２ｂ  トイレットペーパーホルダー上部カバー裏
２ｃ  トイレットペーパーホルダー本体
２ｄ  トイレットペーパーホルダー上部カバー取り付け部
３    トイレットペーパーロール
３ａ  トイレットペーパー切断部
ｎｌ  トイレットペーパーホルダー上部カバー上下動範囲
【図１】
0003179677.tif 000003
【図２】
0003179677.tif 000004
【図３】
0003179677.tif 000005
【図４】
0003179677.tif 000006
【図５】
0003179677.tif 000007